(57)【要約】      （修正有）【課題】    臀部のエクササイズマシンを提供する。【解決手段】ベース１と、主体２と、伝動ユニット３と、回転盤ユニット４と、シートと、からなり、伝動ユニットのモーター３１により、皮ベルトを帯動して、連動ギアを回転させると共に、連動バー３２、及びギヤを回転させ、ギヤにより、回転盤ユニットの回転盤を牽引して、回転盤周縁が斜面状を呈することにより、回転盤が回転するとき、シートが傾斜して、八の字型に回転し、使用者の腰部と臀部に、比較的大きなひねりと、異なる傾斜角度と角度変化をもたらし、好ましい運動効果を達成する。これにより、いかなる使用者でも、容易に使用ができ、自己の腰部を利用して臀部エクササイズマシンを操作する必要がない。使用者はテレビや本を見ながら、リラックスして臀部のエクササイズができ、姿勢を変えても相応の運動効果を得ることができる。【選択図】 図１
0003110106.tif 000002
【実用新案登録請求の範囲】
【請求項１】
ベースと、
該ベース上に固設した主体であって、その内部に伝動ユニットが設置され、両側に回転盤支承ベースが設置され、上端に連動バーが設置された主体と、
前記回転盤支承ベース上に設けられた回転盤ユニットと、
前記回転盤ユニット上に設置され、両側にペダルユニットを有するシート
とからなる臀部エクササイズマシンであって、
前記伝動ユニットが駆動源と、該駆動源の出力を伝達する駆動機構とからなり、前記駆動源が前記主体の側板上に有する駆動源通孔中に設置され、前記駆動機構が伝動ギヤと、該伝動ギヤと伝達手段を介して連接する連動ギヤと、該連動ギヤが一端に穿設された連動バーとからなり、前記回転盤ユニットが、互いに外側に傾斜するように設けられ、前記伝動ユニットの連動バー中間部のねじ山部分と噛合する回転盤と、該回転盤と連結する連設バーと、シート固定ベースと、該シート固定ベース上に設置したシートからなることを特徴とする臀部エクササイズマシン。
【請求項２】
前記伝動ユニットの駆動源は、前記主体の下端に設置され、且つ、前記駆動源前端の伝動ギアと連動ギアは、直接、噛合することを特徴とする請求項１に記載の臀部エクササイズマシン。
【請求項３】
前記回転盤支承ベースは、傾斜面で、傾斜面に軸槽を設け、前記回転盤周縁は斜面を呈し、斜面にラックを設置し、前記回転盤の一側は、槽座を有して、連接ヘッドにより前記連接バーを枢設することを特徴とする請求項１に記載の臀部エクササイズマシン。
【考案の詳細な説明】
【技術分野】
【０００１】
本考案は、臀部エクササイズマシンに関するものであり、さらに詳しくは、、使用者がテレビや本を見ながら、または他の使用者等と喋り合いながらのような情況下で、リラックスして臀部の運動ができ、また、姿勢を変えても相応の運動効果を得ることが可能な臀部エクササイズマシンに関するものである。
【背景技術】
【０００２】
臀部エクササイズマシンは、エクササイズ用品の一つであり、現在、多数の健康機器メーカーが販売しているが、市販されている臀部エクササイズマシンの種類、形式及びその動作方式は非常に多い。これらの市販臀部エクササイズマシンの多くのものは使用者が自らの腰部のひねりと揺動力により操作して、その臀部と腰部に対する運動目的を達成するものである。例えば、特開２０００−１１６８１８号公報によれば、臀部および腹部の筋肉を鍛えることが可能なトレーニングマシンとして、被トレーニング者が着座姿勢でペダリングを行なう際に負荷を与えることにより、筋肉を鍛えるようにした自転車タイプで定置型マシンが提案されている。また、実用新案登録第３０２５７４９号公報によれば、模擬乗馬方式の運動装置が開示されている。かかる運動装置によれば、使用者が台座に腰かけ踏板を踏む場合に、使用者が把手を操作することにより、台座と踏板の位置をそれぞれ変更し、乗馬スタイルのプルタイプ（引き型）およびプッシュタイプ（押し型）の運動を行なうものである。
【０００３】
しかしながら、前記の如き運動器具は、使用者が、使用者自身の力を傾注して作動させることにより身体各部の鍛錬を行なうものであり、特に、現在市販されている臀部エクササイズマシンのほとんどは、高年齢者、または腰部のひねりが困難な使用者にとって、十分有効に利用することができないという難点を有している。また、使用者自らの腰部のひねりと揺動力による操作方式のものでは、使用者は腰部の操作能力を制御しにくく、腰部が筋違いを起こす可能性があるほか、腰部が痛くなりやすいという欠点が指摘されている。その上、使用者がどのような姿勢をとっても、運動効果は同じで、姿勢を変えても腰部と臀部に対する特異な運動効果が得られるとは言い難いものであり、特に、高齢化社会に対応した適度な運動が可能な運動装置は未だ提供されていない。
【０００４】
かかる臀部・腰部のエクササイズマシンの開発状況に鑑み、高齢者をはじめ腰部のひねりの困難な使用者にとって自身の過度の力を必要とせずに、しかも、安全性が高く、優れた運動効果を奏することのできる臀部エクササイズマシンの提供が切望されてきた。
【特許文献１】特開２０００−１１６８１８号公報
【特許文献２】実用新案登録第３０２５７４９号公報
【考案の開示】
【考案が解決しようとする課題】
【０００５】
従って、本考案の課題は、前記の如き、従来開発されたエクササイズマシンの欠点を改善し、新規に創製した臀部エクササイズマシンであって、それに応じた運動効果を促進することができる新規な構造を有する臀部エクササイズマシンを提供することにある。
【課題を解決するための手段】
【０００６】
そこで、本考案者は、前記の課題を解決するため、臀部エクササイズマシンの構造について鋭意検討を重ねた結果、使用者が自ずからの腰部のひねりと揺動力により操作を行なわなくても、臀部を載せるシートが揺動し、周期的に傾斜するように構成すれば、使用者の臀部と腰部に受動的にひねりが与えられ、高齢者および腰部のひねりが困難な使用者に対しても有用な構造のエクササイズマシンを提供できるという前記課題が解決されることを見い出し、かかる知見に基いて本発明の完成に到達した。
【０００７】
かくして、本考案によれば、
ベースと、
該ベース上に固設した主体であって、その内部に伝動ユニットが設置され、両側に回転盤支承ベースが設置され、上端に連動バーが設置された主体と、
前記回転盤支承ベース上に設けられた回転盤ユニットと、
前記回転盤ユニット上に設置され、両側にペダルユニットを有するシート
とからなる臀部エクササイズマシンであって、
前記伝動ユニットが駆動源と、該駆動源の出力を伝達する駆動機構とからなり、前記駆動源が前記主体の側板上に有する駆動源通孔中に設置され、前記駆動機構が伝動ギヤと、該伝動ギヤと伝達手段を介して連接する連動ギヤと、該連動ギヤが一端に穿設された連動バーとからなり、前記回転盤ユニットが、互いに外側に傾斜するように設けられ、前記伝動ユニットの連動バー中間部のねじ山部分と噛合する回転盤と、該回転盤と連結する連設バーと、シート固定ベースと、該シート固定ベース上に設置したシートからなることを特徴とする臀部エクササイズマシン
が提供される。
【０００８】
また、本考案によれば、具体的には
ベースと、
側板上にモーター通孔を有し、両側に回転盤支承ベースを設置し、上端に連動バーを設けている主体と、
モーターと、連動ギアと、連動バーと、ベルト、からなる伝動ユニットと、
回転盤、連接バーと、シート固定ベースと、からなる回転盤と、
両側に、それぞれ、ペダルユニットを有するシートと、
からなり、
前記ベース上に前記主体を固設し、前記伝動ユニットのモーターは、前記主体のモーター通孔中に穿置され、前記連動ギアと前記モーター前端の伝動ギアは、前記皮ベルトにより被覆して、前記連動ギアを前記連動バーの一端に穿設し、前記連動バーを前記主体上端の連動バー通孔中に穿設し、前記回転盤ユニットの回転盤中は、軸栓により固定し、前記軸栓を前記主体の軸槽中に穿接して、前記回転盤周縁のラックが前記伝動ユニットの連動バー中間段の螺紋段と噛合し、前記連接バーは、連接ヘッドにより、前記回転盤上の槽座に固設され、前記連接バー上に、シート固定ベースを固設して、シートを設置することを特徴とする臀部エクササイズマシン
が提供される。
【０００９】
さらに具体的には、本考案に係る臀部エクササイズマシンは、
ベースと、主体と、伝動ユニットと、回転盤ユニットと、シートと、からなり、伝動ユニットのモーターにより、皮ベルトを帯動して、連動ギアを回転させると共に、連動バー、及び運動バー中間部のねじ山部分を回転させ、ねじ山部分により、回転盤ユニットの回転盤を牽引して、回転盤周縁が斜面状を呈することにより、回転盤が回転するとき、シートが傾斜して、八の字型に回転し、使用者の腰部と臀部に、比較的大きなひねりと、異なる傾斜角度と角度変化をもたらし、好ましい運動効果を達成する。これにより、いかなる使用者でも、容易に使用ができ、自己の腰部を利用して臀部エクササイズマシンを操作する必要がないので、使用者の腰部が怪我をすることもない。使用者はテレビや本を見ながら、あるいは、他の使用者と喋り合いをするような情況下でも、リラックスして臀部のエクササイズができ、姿勢を変えることにより、相応の運動効果を得ることができる。
【００１０】
本考案の臀部エクササイズマシンの構造において、モーターの前端に接設された伝動ギアと連動ギアは、直接、噛合させることもできるので、その場合においては皮ベルトを使用する必要がない。
【考案の効果】
【００１１】
本考案により、使用者は、安全で様々な情況下でも、リラックスして臀部のエクササイズができ、異なる姿勢をとっても、相応の運動効果を得ることができる。
【考案を実施するための最良の形態】
【００１２】
次に、本考案について図面に従い、さらに具体的に説明する。
図１は、本考案に係る臀部エクササイズマシンの立体分解図である。
同図から分かるように、本考案の臀部エクササイズマシンの構造は、ベース１と、主体２と、該主体２内に内設された伝動ユニット３と、回転盤ユニット４と、シート５と、からなり、ベース１上に主体２を固設したものである。主体２の側板上に、モーター通孔２１を設けると共に、主体２の両端に、それぞれ、回転盤支承ベース２２を設置する。回転盤支承ベース２２は斜面を呈する。その斜面に軸槽２２１を設け、主体２の上端に、それぞれ、連動バー通孔２３が設けられる。
【００１３】
伝動ユニット３は、少なくとも、モーター３１、連動ギア３２、連動バー３３、及びベルト３４から構成される。モーター３１前端は、伝動ギア３１１を接設し、連動バー３３中間部に、ねじ山部分３３１を有する。
【００１４】
回転盤ユニット４は、少なくとも回転盤４１、連接バー４２、及びシート固定ベース４３からなる。回転盤４１の周縁は斜面状設計であり、周縁上に、ラック４１１を環設し、回転盤４１の一側に、槽座４１２を設置する。回転盤４１の中間に、軸栓４１３を有し、シート５の両側に、それぞれ、使用者の脚部で漕ぐペダルユニット５１を設けてある。
【００１５】
また、図２、図３及び図４は、本考案に係る臀部エクササイズマシンの立体組立図である。
図２は、伝動ユニット３を内設した主体２上に回転盤ユニット４を構成する回転盤４１の一つを取り付けた状態を示し、図３は、図２では欠如していたもう一つの回転盤４１を回転盤支承ベース２２に取り付けた状態を示す。図４は、前記二つの回転盤を連接バー４２により連結し、該連接バー４２上にシート固定ベース４３を固設した臀部エクササイズマシンの構造の完成図である。
【００１６】
各図から分かるように、組み立て時に、主体２をベース１上に固設し、伝動ユニット３のモーター３１を、主体２のモーター通孔２１中に穿設する。伝動ユニット３の連動ギア３２とモーター３１前端の伝動ギア３１１は、ベルト３４により連結して、更に、連動ギア３２を連動バー３３の一端に穿設し、連動バー３３を主体２上端の連動バー通孔２３中に穿設する。
【００１７】
回転盤ユニット４の回転盤４１の軸栓４１３を、主体２の回転盤支承ベース２２の軸槽２２１中に穿接する。回転盤４１周縁のラック４１１は、伝動ユニット３の連動バー３３中間部のねじ山部分３１１と噛合する。
【００１８】
回転盤ユニット４の連接バー４２は、連接ヘッド４２１により、回転盤４１上の槽座４１２に固設され、連接バー４２上に、シート固定ベース４３を固設して、シート５を設置する。
【００１９】
図５、図６、及び図７は、本考案に係る臀部エクササイズマシンの立体側面の動作を示す図である。
特に、図５は図４で示す本考案に係る臀部エクササイズマシンの構造上にシート５を設置し、同構造の下部にペダルユニット５１を固設したものであり、シート５の動作状態を示す。
図から分かるように、伝動ユニット３のモーター３１により、皮ベルト３４が連動ギア３２を帯動して回転し、連動バー３２及びギヤ３２１を回転させ、ギヤ３２１が回転盤ユニット４の回転盤４１を牽引する。回転盤４１の周縁が傾斜面であるので、回転盤４１が回転する時、シート５も傾斜して、八の字型に回転し、使用者の腰部及び臀部に異なる角度、ねじり変化を与え、異なる姿勢を与えることにより、好ましい運動効果を奏する。
【００２０】
本考案に係る臀部エクササイズマシンにより、使用者はテレビや本を見ながら、あるいは、他の使用者または見物者と会話をするような情況下でも、リラックスして臀部のエクササイズができ、異なる姿勢を与えても、異なる運動効果を得ることができる。
【図面の簡単な説明】
【００２１】
【図１】本考案に係る臀部エクササイズマシンの立体分解図である。
【図２】本考案に係る臀部エクササイズマシンの構造を示す立体組み立て図である。
【図３】本考案に係る臀部エクササイズマシンの他の立体組み立て図である。
【図４】本考案に係る臀部エクササイズマシンの完成した構造を示す立体組み立て図である。
【図５】本考案に係る臀部エクササイズマシンの立体動作図である。
【図６】本考案に係る臀部エクササイズマシンの側視動作図である。
【図７】本考案に係る臀部エクササイズマシンの他の側視動作図である。
【符号の説明】
【００２２】
１      ベース
２      主体
２１    モーター通孔
２２    回転盤支承ベース
２３    連動バー通孔
２２１  軸槽
３      伝動ユニット
３１    モーター
３１１  伝動ギヤ
３２    連動ギア
３３    連動バー
３４    ベルト
３３１  ねじ山部分
４      回転盤ユニット
４１    回転盤
４２    連接バー    
４３    シート固定ベース
４１１  ラック
４１２  槽座
４２１  連接へッド
５      シート
５１    ペダルユニット
【図１】
0003110106.tif 000003
【図２】
0003110106.tif 000004
【図３】
0003110106.tif 000005
【図４】
0003110106.tif 000006
【図５】
0003110106.tif 000007
【図６】
0003110106.tif 000008
【図７】
0003110106.tif 000009